(57)【要約】      （修正有）【課題】プラスチック材料の可撓性と、金属材料の高反射効率との特性を備え、装着する際の自由度が高いだけでなく、照明効率を向上させて消費電力を節約することが可能な形状可変反射シートを提供する。【解決手段】ランプ２００は、光出射側を有する光源２０１と、光源２０１に隣接した箇所で、光出射側２０３と反対側に配置された形状可変反射シート１００と、を備える。形状可変反射シート１００は、ランプ２００の光出射側２０３と反対側に設けられたプラスチック基材１０１と、光出射側２０３に面したプラスチック基材１０１の表面に設けられた銀反射層１０２と、を含む。形状可変反射シート１００の銀反射層１０２は、弧状ランプソケット部２０２の内側に形成され、光源２０１からランプ２００の光出射側２０３と反対方向へ進む光線を反射させるため、光源２０１からの光線を集光させ、ランプ２００の輝度を向上させることができる。【選択図】図２Ａ
0003151223.tif 000002
【実用新案登録請求の範囲】
【請求項１】
プラスチック基材と、
前記プラスチック基材の表面に塗布された銀反射層と、を備えることを特徴とする可撓性反射シート。
【請求項２】
前記プラスチック基材は、ポリエチレンテレフタレートからなるプレートまたはシートであり、
前記銀反射層は、鏡面銀蒸着層または、オーバーコーティング層であることを特徴とする請求項１に記載の形状可変反射シート。
【請求項３】
前記銀反射層中の銀の純度は９５％以上であることを特徴とする請求項１に記載の形状可変反射シート。
【請求項４】
前記銀反射層中の銀の純度は９８％以上であることを特徴とする請求項１に記載の形状可変反射シート。
【請求項５】
前記プラスチック基材および前記銀反射層に穿設された少なくとも１つの貫通孔と、
前記プラスチック基材および前記銀反射層の一部を横断するように設けられた少なくとも１つの切断線、又はミシン目を備えることを特徴とする請求項１に記載の形状可変反射シート。
【請求項６】
光出射側を有する光源と、
前記光源に隣接した箇所で、前記光出射側と反対側に配置された形状可変反射シートと、を備え、前記可撓性反射シートは、ランプの前記光出射側と反対側に設けられたプラスチック基材と、
前記光出射側に面した前記プラスチック基材の表面に設けられた銀反射層と、を含むことを特徴とするランプ。
【請求項７】
前記プラスチック基材は、ポリエチレンテレフタレートからなるプレートであり、
前記銀反射層は、鏡面銀蒸着層または、オーバーコーティング層であることを特徴とする請求項６に記載のランプ。
【請求項８】
前記銀反射層中の銀の純度は９５％以上であることを特徴とする請求項６に記載のランプ。
【請求項９】
前記プラスチック基材および前記銀反射層に穿設され、前記光源をその中に貫設させることが可能な少なくとも１つの貫通孔と、
前記プラスチック基材および前記銀反射層の一部を横断するように設けられ、形状可変反射シートを折り曲げることが可能な少なくとも１つの切断線、又はミシン目を備えることを特徴とする請求項６に記載のランプ。
【請求項１０】
前記切断線の縁に隣接した箇所に設けられ、折り曲げられた後の前記可塑性反射シートの形状を保持してハウジングを形成させることが可能な少なくとも１つの締め付け部材または接着部材や固定部材を備えることを特徴とする請求項９に記載のランプ。
【考案の詳細な説明】
【技術分野】
【０００１】
本考案は、反射シートおよびそれを応用するランプに関し、特に、繰り返して折り曲げることが可能な可撓性反射シートおよびそれを応用するランプに関する。
【背景技術】
【０００２】
ランプなどの照明装置は、生活照明として使用する以外に、視覚的美観を提供することができるため、現代の生活にとって必要不可欠なものの一つとなっている。現在、世界的にエネルギー資源が不足しているなか、また地球温暖化を防ぐために、様々な代替エネルギーの研究が継続的に行われ、環境保護およびエネルギー節約を達成することが世界共通の認識となっている。その一環として照明効率の向上と、電気エネルギーの節減とを達成することが可能なランプが求められていた。
【０００３】
従来技術では、ランプに装着された反射カバーまたは集光カバーにより集光を行い、光線を案内して特定の目標物または領域に照射させていた。しかし、従来の反射カバーまたは、集光カバーは、ガラス、金属またはプラスチックの材料で製作されたものがほとんどであった。そのため、プラスチックの材料で製作されたもの以外は形状変更が出来ず、ランプの教条に応じて曲げることができないため、その応用範囲は限定されたものであった。その上、従来のガラス、金属またはプラスチックの材料は、一定レベルの光吸収性を有するため、反射効果も好ましくなかった。
【０００４】
そのため、装着する際の自由度が高いだけでなく、照明効率を大幅に向上させ、電気エネルギーを節減させることができる上に、構造が簡単で、高い光反射効率および形状可変を備えた形状可変反射シートが求められていた。
【考案の概要】
【考案が解決しようとする課題】
【０００５】
そのため、本考案の目的は、プラスチック材料の形状可変性と、金属材料の高反射効率との特性を備え、装着する際の自由度が高いだけでなく、照明効率を向上させて消費電力を節約することが可能な形状可変反射シートを提供することにある。
【課題を解決するための手段】
【０００６】
（１）  プラスチック基材と、前記プラスチック基材の表面に塗布された銀反射層と、を備えることを特徴とする形状可変反射シート。
【０００７】
（２）  前記プラスチック基材は、ポリエチレンテレフタレートからなるプレートまたはシートであり、前記銀反射層は、鏡面銀めっき層または、オーバーコーティング層であることを特徴とする（１）に記載の形状可変反射シート。
【０００８】
（３）  前記銀反射層中の銀の純度は９５％以上であることを特徴とする（１）に記載の形状可変反射シート。
【０００９】
（４）  前記銀反射層中の銀の純度は９８％以上であることを特徴とする（１）に記載の形状可変反射シート。
【００１０】
（５）  前記プラスチック基材および前記銀反射層に穿設された少なくとも１つの貫通孔と、前記プラスチック基材および前記銀反射層の一部を横断するように設けられた少なくとも１つの切断線、及びミシン目を備えることを特徴とする（１）に記載の形状可変反射シート。
【００１１】
（６）  光出射側を有する光源と、前記光源に隣接した箇所で、前記光出射側と反対側に配置された形状可変反射シートを備え、前記形状可変反射シートは、ランプの前記光出射側と反対側に設けられたプラスチック基材と、前記光出射側に面した前記プラスチック基材の表面に設けられた銀反射層と、を含むことを特徴とするランプ。
【００１２】
（７）  前記プラスチック基材は、ポリエチレンテレフタレートからなるプレートであり、前記銀反射層は、鏡面銀蒸着層であることを特徴とする（６）に記載のランプ。
【００１３】
（８）  前記銀反射層中の銀の純度は９５％以上であることを特徴とする（６）に記載のランプ。
【００１４】
（９）  前記プラスチック基材および前記銀反射層に穿設され、前記光源をその中に貫設させることが可能な少なくとも１つの貫通孔と、前記プラスチック基材および前記銀反射層の一部を横断するように設けられ、前記形状可変反射シートを折り曲げることが可能な少なくとも１つの切断線、及びミシン目を備えることを特徴とする（６）に記載のランプ。
【００１５】
（１０）  前記切断線の縁に隣接した箇所に設けられ、折り曲げられた後の前記可塑性反射シートの形状を保持してハウジングを形成させることが可能な少なくとも１つの締め付け部材、または接着部材の固定部材をさらに備えることを特徴とする（９）に記載のランプ。
【考案の効果】
【００１６】
本考案の形状可変反射シートは、プラスチック材料の可撓性と、金属材料の高反射効率との特性を備え、装着する際の自由度が高いだけでなく、照明効率を向上させて消費電力を節約することができる。
【図面の簡単な説明】
【００１７】
【図１】本考案の一実施形態による形状可変反射シートの構造を示す断面図である。
【図２Ａ】図１の可撓性反射シートを応用したランプの構造を示す分解斜視図である。
【図２Ｂ】図２Ａのランプの構造を示す断面図である。
【図３】図１の形状可変反射シートを応用したランプの構造を示す正面図である。
【図４Ａ】本考案の他の実施形態による形状可変反射シートの構造を示す平面図である。
【図４Ｂ】図４Ａの線Ｓ４−Ｓ４に沿った断面図である。
【図４Ｃ】図４Ａの角錐状のハウジングを折り曲げたときの状態を示す斜視図である。
【図５】図４Ｃのハウジングを応用したランプの構造を示す斜視図である。
【図６Ａ】本考案の他の実施形態による形状可変反射シートの構造を示す平面図である。
【図６Ｂ】図６Ａの線Ｓ６−Ｓ６に沿った断面図である。
【図６Ｃ】図６Ａの円錐状のハウジングを折り曲げたときの状態を示す斜視図である。
【図７】図６Ｃの円錐状のハウジングを応用したランプの構造を示す斜視図である。
【考案を実施するための形態】
【００１８】
以下、本考案の実施形態を図面に基づいて説明する。なお、これにより本考案が限定されるものではない。
【００１９】
図１を参照する。図１は、本考案の一実施形態による形状可変反射シート１００を示す断面図である。形状可変反射シート１００は、プラスチック基材１０１と、プラスチック基材１０１の基材表面１０１ａ上に塗布された銀反射層１０２とを含む。
【００２０】
本考案の一実施形態によるプラスチック基材１０１は、ポリエチレンテレフタレート（Ｐｏｌｙｅｔｈｙｌｅｎｅ  Ｔｅｒｅｐｈｔｈａｌａｔｅ：ＰＥＴ）からなるプレートまたはシートである。銀反射層１０２は、蒸着、スタンプまたはメッキ工程により、プラスチック基材１０１の基材表面１０１ａ上に塗布された鏡面銀蒸着層である。銀反射層中の銀の純度は、９５％以上であり、好適には９８％以上である。
【００２１】
本考案の一実施形態による可撓性反射シート１００は、ランプに応用し、集光および光反射を行うために用いる。図２Ａおよび図２Ｂを参照する。図２Ａは、図１の可撓性反射シート１００が応用されたランプ２００の構造を示す分解斜視図である。図２Ｂは、図２Ａのランプ２００の構造を示す断面図である。
【００２２】
図２Ａおよび図２Ｂに示すように、本実施形態のランプ２００は、蛍光ランプである。この蛍光ランプは従来のものであるため、ここではその構造については詳しく述べず、蛍光ランプ中に配置された形状可変反射シート１００についてのみ説明を行う。
【００２３】
ランプ２００は、少なくとも１つの蛍光ランプからなる光源２０１と、１つの弧状ランプソケット部２０２とを含む。本実施形態の形状可変反射シート１００は、光源２０１に隣接した箇所で、弧状ランプソケット部２０２と全面的にコンフォーマルに形成されている。形状可変反射シート１００の銀反射層１０２は、弧状ランプソケット部２０２の内側に形成され、光源２０１からランプ２００の光出射側２０３と反対方向へ進む光線を反射させるため、光源２０１からの光線を集光させ、ランプ２００の輝度を向上させることができる。
【００２４】
図３を参照する。図３は、図１の可撓性反射シート１００を応用したランプ３００の構造を示す正面図である。
【００２５】
本考案の一実施形態によるランプ３００は、電球形状の蛍光ランプである。このランプは従来のものであるため、ここではその細部構造については詳しく述べず、ランプ中に配置された形状可変反射シート１００についてのみ説明を行う。
【００２６】
ランプ３００は、光源３０１、結合座３０４およびランプカバー３０２を含む。光源３０１は、結合座により電源と電気的に接続された電球形状の蛍光ランプである。ランプカバー３０２は、光源３０１の周りを囲繞するプラスチック材料または金属材料からなる中空円柱状のハウジングである。ランプカバー３０２の円形状底面には、光源３０１の光線を外側へ放射させることが可能な開口３０３が、ランプ３００の光出射側として設けられている。
【００２７】
形状可変反射シート１００は、円形状のシート状構造に切断され、ランプカバー３０２の頂部に固定されている。また、可撓性反射シート１００の中には、電球形状の蛍光ランプの結合座３０４をその中に貫設させることが可能な貫通孔１０４が設けられている。形状可変反射シート１００の銀反射層１０２は、ランプカバー３０２の開口３０３に面している。つまり、可撓性反射シート１００は、光源３０１に隣接した箇所に設けられ、光源３０１のランプカバー３０２の開口３０３（即ち、ランプ３００の光出射側）と反対側に配置されている。可撓性反射シート１００の銀反射層１０２は、光源３０１からの光線を反射させることができる。このように、光出射側と反対の方向へ進む光源３０１からの光線を集光させ、ランプ３００の輝度を向上させることができる。
【００２８】
図４Ａおよび図４Ｂを参照する。図４Ａは、本考案の他の実施形態による形状可変反射シート４００の構造を示す平面図である。図４Ｂは、図４Ａの線Ｓ４−Ｓ４に沿った断面図である。形状可変反射シート４００は、１層のプラスチック基材４０１と、プラスチック基材４０１の基材表面４０１ａ上に塗布された銀反射層４０２とを含む。
【００２９】
可撓性反射シート４００は、図１の可撓性反射シート１００と類似した多辺形状のシート構造であるが、少なくとも１本の切断線（例えば、切断線４０５ａ，４０５ｂ，４０５ｃ，４０５ｄ）をさらに含む点が異なる。各切断線４０５ａ，４０５ｂ，４０５ｃ，４０５ｄは、プラスチック基材４０１および銀反射層４０２の一部を横断するように設けられ、所定の折り線４０４（点線）に沿って形状可変反射シート４００を折り曲げることにより、１つのハウジング４００ａ（図４Ｃに示す）を形成し、ハウジング４００ａの内側には銀反射層４０２が設けられている。
【００３０】
また、各切断線４０５ａ，４０５ｂ，４０５ｃ，４０５ｄの縁には、ネジまたはボルトを含む締め付け具、または粘着テープ（ａｄｈｅｓｉｖｅ  ｔａｐｅ）４０３ａ，４０３ｂ，４０３ｃ，４０３ｄもしくはフォームテープ（ｆｏａｍ  ｔａｐｅ）を含む接着部材を含む少なくとも１つの固定部材を有するため、形状可変反射シート４００が折り曲げられて形成されたハウジング４００ａの形状を保持することができる。
【００３１】
図５を参照する。図５は、図４Ｃのハウジング４００ａを応用したランプ５００の構造を示す斜視図である。
【００３２】
ランプ５００は、複数の光源５０１を含む。本実施形態において、複数の光源５０１は、複数の発光ダイオード（Ｌｉｇｈｔ  Ｅｍｉｔｔｉｎｇ  Ｄｉｏｄｅ：ＬＥＤ）素子である。ハウジング４００ａの底部には、各光源５０１に対応した箇所に、貫通孔４０６中に光源５０１を貫設させることが可能な複数の貫通孔４０６が設けられている。この構成により、ハウジング４００ａは、光源５０１と互いに隣接し、ハウジング４００ａの底部に形成された銀反射層４０２は、ランプ５００の光出射側５０２に向かって光源５０１からの光線を反射させることができる。このように、光出射側５０２と反対の方向に進む光源５０１からの光線を集光させることができるため、ランプ５００の輝度を向上させることができる。
【００３３】
図６Ａおよび図６Ｂを参照する。図６Ａは、本考案の他の実施形態による可撓性反射シート６００の構造を示す平面図である。図６Ｂは、図６Ａの線Ｓ６−Ｓ６に沿った断面図である。可撓性反射シート６００は、１層のプラスチック基材６０１と、プラスチック基材６０１の基材表面６０１ａ上に塗布された銀反射層６０２とを含む。
【００３４】
可撓性反射シート６００は、図４Ａの形状可変反射シート４００と類似した構造を有する円形状のシート構造である。形状可変反射シート６００は、１個の貫通孔６０４およびシート構造を横断する１本の切断線６０３をさらに含む。貫通孔６０４の縁に沿って可撓性反射シート６００を折り曲げて１つの円錐状のハウジング６００ａ（図６Ｃに示す）を形成し、円錐状のハウジング６００ａの内側に銀反射層６０２を形成させる。
【００３５】
また、切断線６０３の縁に設けられた少なくとも１つのテープ接着部材６０５を利用することにより、形状可変反射シート６００を折り曲げて形成したハウジング６００ａの形状を保持することができる。
【００３６】
図７を参照する。図７は、図６Ｃの円錐状のハウジング６００ａを応用したランプ７００の構造を示す斜視図である。
【００３７】
図７に示すように、ランプ７００は、１つの光源７０１と、ハウジング６００ａ中に貫設された１つの結合座（図示せず）とを含む。本実施形態において、光源７０１は、ハウジング６００ａ中に設けられた電球である。ハウジング６００ａの両側には、開口がそれぞれ設けられている。ハウジング６００ａの幅が大きい一方の側には、光源７０１からの光線を円錐状のハウジング６００ａから外側へ放射させることが可能な開口６０６が設けられている。ハウジング６００ａの幅が小さい他方の側には、ハウジング６００ａ中に光源結合座（図示せず）を貫設させ、光源７０１と電源とを電気的に接続させることが可能な開口６０７が設けられている。このように、円錐状のハウジング６００ａの開口６０６を光源７０１の光出射側として用い、光出射側と反対方向へ進む光源７０１からの光線をハウジング６００ａの銀反射層６０２により反射させて集光させることにより、ランプ７００の輝度を向上させることができる。
【００３８】
上述したことから分かるように、本考案は以下の長所を有する。本考案は、可撓性プラスチック材料で製作された基材上に、１層の銀反射層が塗布されている。これにより、本考案の可撓性反射シートは、プラスチック材料の可撓性と、金属材料の高反射効率との特性を備え、装着する際の自由度が高いだけでなく、照明効率を向上させて消費電力を節約することもできる。
【００３９】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００４０】
１００  形状可変反射シート
１０１  プラスチック基材
１０１ａ  基材表面
１０２  銀反射層
１０４  貫通孔
２００  ランプ
２０１  光源
２０２  弧状ランプソケット部
２０３  ランプの光出射側
３００  ランプ
３０１  光源
３０２  ランプカバー
３０３  ランプカバーの開口
３０４  結合座
４００  形状可変反射シート
４００ａ  ハウジング
４０１  プラスチック基材
４０１ａ  プラスチック基材表面
４０２  銀反射層
４０３ａ  粘着テープ
４０３ｂ  粘着テープ
４０３ｃ  粘着テープ
４０３ｄ  粘着テープ
４０４  折り線
４０５ａ  切断線
４０５ｂ  切断線
４０５ｃ  切断線
４０５ｄ  切断線
４０６  貫通孔
５００  ランプ
５０１  光源
５０２  ランプの光出射側
６００  形状可変反射シート
６００ａ  ハウジング
６０１  プラスチック基材
６０１ａ  基材表面
６０２  銀反射層
６０３  切断線
６０４  貫通孔
６０５  テープ接着部材
６０６  開口
６０７  開口
７００  ランプ
７０１  光源
【図１】
0003151223.tif 000003
【図２Ａ】
0003151223.tif 000004
【図２Ｂ】
0003151223.tif 000005
【図３】
0003151223.tif 000006
【図４Ａ】
0003151223.tif 000007
【図４Ｂ】
0003151223.tif 000008
【図４Ｃ】
0003151223.tif 000009
【図５】
0003151223.tif 000010
【図６Ａ】
0003151223.tif 000011
【図６Ｂ】
0003151223.tif 000012
【図６Ｃ】
0003151223.tif 000013
【図７】
0003151223.tif 000014
【手続補正書】
【提出日】平成21年4月3日(2009.4.3)
【手続補正１】
【補正対象書類名】明細書
【補正対象項目名】全文
【補正方法】変更
【補正の内容】
【考案の詳細な説明】
【技術分野】
【０００１】  本考案は、反射シートおよびそれを応用するランプに関し、特に、繰り返して折り曲げることが可能な形状可変反射シートおよびそれを応用するランプに関する。
【背景技術】
【０００２】  ランプなどの照明装置は、生活照明として使用する以外に、視覚的美観を提供することができるため、現代の生活にとって必要不可欠なものの一つとなっている。現在、世界的にエネルギー資源が不足しているなか、また地球温暖化を防ぐために、様々な代替エネルギーの研究が継続的に行われ、環境保護およびエネルギー節約を達成することが世界共通の認識となっている。その一環として照明効率の向上と、電気エネルギーの節減とを達成することが可能なランプが求められていた。【０００３】  従来技術では、ランプに装着された反射カバーまたは集光カバーにより集光を行い、光線を案内して特定の目標物または領域に照射させていた。しかし、従来の反射カバーまたは、集光カバーは、ガラス、金属またはプラスチックの材料で製作されたものがほとんどであった。そのため、プラスチックの材料で製作されたもの以外は形状変更が出来ず、ランプの教条に応じて曲げることができないため、その応用範囲は限定されたものであった。その上、従来のガラス、金属またはプラスチックの材料は、一定レベルの光吸収性を有するため、反射効果も好ましくなかった。【０００４】  そのため、装着する際の自由度が高いだけでなく、照明効率を大幅に向上させ、電気エネルギーを節減させることができる上に、構造が簡単で、高い光反射効率および形状可変を備えた形状可変反射シートが求められていた。
【考案の概要】
【考案が解決しようとする課題】
【０００５】  そのため、本考案の目的は、プラスチック材料の形状可変性と、金属材料の高反射効率との特性を備え、装着する際の自由度が高いだけでなく、照明効率を向上させて消費電力を節約することが可能な形状可変反射シートを提供することにある。
【課題を解決するための手段】
【０００６】  （１）  プラスチック基材と、前記プラスチック基材の表面に塗布された銀反射層と、を備えることを特徴とする形状可変反射シート。【０００７】  （２）  前記プラスチック基材は、ポリエチレンテレフタレートからなるプレートまたはシートであり、前記銀反射層は、鏡面銀めっき層または、オーバーコーティング層であることを特徴とする（１）に記載の形状可変反射シート。【０００８】  （３）  前記銀反射層中の銀の純度は９５％以上であることを特徴とする（１）に記載の形状可変反射シート。【０００９】  （４）  前記銀反射層中の銀の純度は９８％以上であることを特徴とする（１）に記載の形状可変反射シート。【００１０】  （５）  前記プラスチック基材および前記銀反射層に穿設された少なくとも１つの貫通孔と、前記プラスチック基材および前記銀反射層の一部を横断するように設けられた少なくとも１つの切断線、及びミシン目を備えることを特徴とする（１）に記載の形状可変反射シート。【００１１】  （６）  光出射側を有する光源と、前記光源に隣接した箇所で、前記光出射側と反対側に配置された形状可変反射シートを備え、前記形状可変反射シートは、ランプの前記光出射側と反対側に設けられたプラスチック基材と、前記光出射側に面した前記プラスチック基材の表面に設けられた銀反射層と、を含むことを特徴とするランプ。【００１２】  （７）  前記プラスチック基材は、ポリエチレンテレフタレートからなるプレートであり、前記銀反射層は、鏡面銀蒸着層であることを特徴とする（６）に記載のランプ。【００１３】  （８）  前記銀反射層中の銀の純度は９５％以上であることを特徴とする（６）に記載のランプ。【００１４】  （９）  前記プラスチック基材および前記銀反射層に穿設され、前記光源をその中に貫設させることが可能な少なくとも１つの貫通孔と、前記プラスチック基材および前記銀反射層の一部を横断するように設けられ、前記形状可変反射シートを折り曲げることが可能な少なくとも１つの切断線、及びミシン目を備えることを特徴とする（６）に記載のランプ。【００１５】  （１０）  前記切断線の縁に隣接した箇所に設けられ、折り曲げられた後の前記形状可変反射シートの形状を保持してハウジングを形成させることが可能な少なくとも１つの締め付け部材、または接着部材の固定部材をさらに備えることを特徴とする（９）に記載のランプ。
【考案の効果】
【００１６】  本考案の形状可変反射シートは、プラスチック材料の可撓性と、金属材料の高反射効率との特性を備え、装着する際の自由度が高いだけでなく、照明効率を向上させて消費電力を節約することができる。
【図面の簡単な説明】
【００１７】
【図１】本考案の一実施形態による形状可変反射シートの構造を示す断面図である。
【図２Ａ】図１の形状可変反射シートを応用したランプの構造を示す分解斜視図である。
【図２Ｂ】図２Ａのランプの構造を示す断面図である。
【図３】図１の形状可変反射シートを応用したランプの構造を示す正面図である。
【図４Ａ】本考案の他の実施形態による形状可変反射シートの構造を示す平面図である。
【図４Ｂ】図４Ａの線Ｓ４−Ｓ４に沿った断面図である。
【図４Ｃ】図４Ａの角錐状のハウジングを折り曲げたときの状態を示す斜視図である。
【図５】図４Ｃのハウジングを応用したランプの構造を示す斜視図である。
【図６Ａ】本考案の他の実施形態による形状可変反射シートの構造を示す平面図である。
【図６Ｂ】図６Ａの線Ｓ６−Ｓ６に沿った断面図である。
【図６Ｃ】図６Ａの円錐状のハウジングを折り曲げたときの状態を示す斜視図である。
【図７】図６Ｃの円錐状のハウジングを応用したランプの構造を示す斜視図である。
【考案を実施するための形態】
【００１８】  以下、本考案の実施形態を図面に基づいて説明する。なお、これにより本考案が限定されるものではない。
【００１９】  図１を参照する。図１は、本考案の一実施形態による形状可変反射シート１００を示す断面図である。形状可変反射シート１００は、プラスチック基材１０１と、プラスチック基材１０１の基材表面１０１ａ上に塗布された銀反射層１０２とを含む。
【００２０】  本考案の一実施形態によるプラスチック基材１０１は、ポリエチレンテレフタレート（Ｐｏｌｙｅｔｈｙｌｅｎｅ  Ｔｅｒｅｐｈｔｈａｌａｔｅ：ＰＥＴ）からなるプレートまたはシートである。銀反射層１０２は、蒸着、スタンプまたはメッキ工程により、プラスチック基材１０１の基材表面１０１ａ上に塗布された鏡面銀蒸着層である。銀反射層中の銀の純度は、９５％以上であり、好適には９８％以上である。
【００２１】  本考案の一実施形態による形状可変反射シート１００は、ランプに応用し、集光および光反射を行うために用いる。図２Ａおよび図２Ｂを参照する。図２Ａは、図１の形状可変反射シート１００が応用されたランプ２００の構造を示す分解斜視図である。図２Ｂは、図２Ａのランプ２００の構造を示す断面図である。
【００２２】  図２Ａおよび図２Ｂに示すように、本実施形態のランプ２００は、蛍光ランプである。この蛍光ランプは従来のものであるため、ここではその構造については詳しく述べず、蛍光ランプ中に配置された形状可変反射シート１００についてのみ説明を行う。
【００２３】  ランプ２００は、少なくとも１つの蛍光ランプからなる光源２０１と、１つの弧状ランプソケット部２０２とを含む。本実施形態の形状可変反射シート１００は、光源２０１に隣接した箇所で、弧状ランプソケット部２０２と全面的にコンフォーマルに形成されている。形状可変反射シート１００の銀反射層１０２は、弧状ランプソケット部２０２の内側に形成され、光源２０１からランプ２００の光出射側２０３と反対方向へ進む光線を反射させるため、光源２０１からの光線を集光させ、ランプ２００の輝度を向上させることができる。
【００２４】  図３を参照する。図３は、図１の形状可変反射シート１００を応用したランプ３００の構造を示す正面図である。
【００２５】  本考案の一実施形態によるランプ３００は、電球形状の蛍光ランプである。このランプは従来のものであるため、ここではその細部構造については詳しく述べず、ランプ中に配置された形状可変反射シート１００についてのみ説明を行う。
【００２６】  ランプ３００は、光源３０１、結合座３０４およびランプカバー３０２を含む。光源３０１は、結合座により電源と電気的に接続された電球形状の蛍光ランプである。ランプカバー３０２は、光源３０１の周りを囲繞するプラスチック材料または金属材料からなる中空円柱状のハウジングである。ランプカバー３０２の円形状底面には、光源３０１の光線を外側へ放射させることが可能な開口３０３が、ランプ３００の光出射側として設けられている。
【００２７】  形状可変反射シート１００は、円形状のシート状構造に切断され、ランプカバー３０２の頂部に固定されている。また、形状可変反射シート１００の中には、電球形状の蛍光ランプの結合座３０４をその中に貫設させることが可能な貫通孔１０４が設けられている。形状可変反射シート１００の銀反射層１０２は、ランプカバー３０２の開口３０３に面している。つまり、形状可変反射シート１００は、光源３０１に隣接した箇所に設けられ、光源３０１のランプカバー３０２の開口３０３（即ち、ランプ３００の光出射側）と反対側に配置されている。形状可変反射シート１００の銀反射層１０２は、光源３０１からの光線を反射させることができる。このように、光出射側と反対の方向へ進む光源３０１からの光線を集光させ、ランプ３００の輝度を向上させることができる。
【００２８】  図４Ａおよび図４Ｂを参照する。図４Ａは、本考案の他の実施形態による形状可変反射シート４００の構造を示す平面図である。図４Ｂは、図４Ａの線Ｓ４−Ｓ４に沿った断面図である。形状可変反射シート４００は、１層のプラスチック基材４０１と、プラスチック基材４０１の基材表面４０１ａ上に塗布された銀反射層４０２とを含む。
【００２９】 形状可変反射シート４００は、図１の形状可変反射シート１００と類似した多辺形状のシート構造であるが、少なくとも１本の切断線（例えば、切断線４０５ａ，４０５ｂ，４０５ｃ，４０５ｄ）をさらに含む点が異なる。各切断線４０５ａ，４０５ｂ，４０５ｃ，４０５ｄは、プラスチック基材４０１および銀反射層４０２の一部を横断するように設けられ、所定の折り線４０４（点線）に沿って形状可変反射シート４００を折り曲げることにより、１つのハウジング４００ａ（図４Ｃに示す）を形成し、ハウジング４００ａの内側には銀反射層４０２が設けられている。
【００３０】  また、各切断線４０５ａ，４０５ｂ，４０５ｃ，４０５ｄの縁には、ネジまたはボルトを含む締め付け具、または粘着テープ（ａｄｈｅｓｉｖｅ  ｔａｐｅ）４０３ａ，４０３ｂ，４０３ｃ，４０３ｄもしくはフォームテープ（ｆｏａｍ  ｔａｐｅ）を含む接着部材を含む少なくとも１つの固定部材を有するため、形状可変反射シート４００が折り曲げられて形成されたハウジング４００ａの形状を保持することができる。
【００３１】  図５を参照する。図５は、図４Ｃのハウジング４００ａを応用したランプ５００の構造を示す斜視図である。
【００３２】  ランプ５００は、複数の光源５０１を含む。本実施形態において、複数の光源５０１は、複数の発光ダイオード（Ｌｉｇｈｔ  Ｅｍｉｔｔｉｎｇ  Ｄｉｏｄｅ：ＬＥＤ）素子である。ハウジング４００ａの底部には、各光源５０１に対応した箇所に、貫通孔４０６中に光源５０１を貫設させることが可能な複数の貫通孔４０６が設けられている。この構成により、ハウジング４００ａは、光源５０１と互いに隣接し、ハウジング４００ａの底部に形成された銀反射層４０２は、ランプ５００の光出射側５０２に向かって光源５０１からの光線を反射させることができる。このように、光出射側５０２と反対の方向に進む光源５０１からの光線を集光させることができるため、ランプ５００の輝度を向上させることができる。
【００３３】  図６Ａおよび図６Ｂを参照する。図６Ａは、本考案の他の実施形態による形状可変反射シート６００の構造を示す平面図である。図６Ｂは、図６Ａの線Ｓ６−Ｓ６に沿った断面図である。形状可変反射シート６００は、１層のプラスチック基材６０１と、プラスチック基材６０１の基材表面６０１ａ上に塗布された銀反射層６０２とを含む。
【００３４】 形状可変反射シート６００は、図４Ａの形状可変反射シート４００と類似した構造を有する円形状のシート構造である。形状可変反射シート６００は、１個の貫通孔６０４およびシート構造を横断する１本の切断線６０３をさらに含む。貫通孔６０４の縁に沿って形状可変反射シート６００を折り曲げて１つの円錐状のハウジング６００ａ（図６Ｃに示す）を形成し、円錐状のハウジング６００ａの内側に銀反射層６０２を形成させる。
【００３５】  また、切断線６０３の縁に設けられた少なくとも１つのテープ接着部材６０５を利用することにより、形状可変反射シート６００を折り曲げて形成したハウジング６００ａの形状を保持することができる。
【００３６】  図７を参照する。図７は、図６Ｃの円錐状のハウジング６００ａを応用したランプ７００の構造を示す斜視図である。
【００３７】  図７に示すように、ランプ７００は、１つの光源７０１と、ハウジング６００ａ中に貫設された１つの結合座（図示せず）とを含む。本実施形態において、光源７０１は、ハウジング６００ａ中に設けられた電球である。ハウジング６００ａの両側には、開口がそれぞれ設けられている。ハウジング６００ａの幅が大きい一方の側には、光源７０１からの光線を円錐状のハウジング６００ａから外側へ放射させることが可能な開口６０６が設けられている。ハウジング６００ａの幅が小さい他方の側には、ハウジング６００ａ中に光源結合座（図示せず）を貫設させ、光源７０１と電源とを電気的に接続させることが可能な開口６０７が設けられている。このように、円錐状のハウジング６００ａの開口６０６を光源７０１の光出射側として用い、光出射側と反対方向へ進む光源７０１からの光線をハウジング６００ａの銀反射層６０２により反射させて集光させることにより、ランプ７００の輝度を向上させることができる。
【００３８】  上述したことから分かるように、本考案は以下の長所を有する。本考案は、可撓性プラスチック材料で製作された基材上に、１層の銀反射層が塗布されている。これにより、本考案の形状可変反射シートは、プラスチック材料の可撓性と、金属材料の高反射効率との特性を備え、装着する際の自由度が高いだけでなく、照明効率を向上させて消費電力を節約することもできる。
【００３９】  当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００４０】１００  形状可変反射シート１０１  プラスチック基材１０１ａ  基材表面１０２  銀反射層１０４  貫通孔２００  ランプ２０１  光源２０２  弧状ランプソケット部２０３  ランプの光出射側３００  ランプ３０１  光源３０２  ランプカバー３０３  ランプカバーの開口３０４  結合座４００  形状可変反射シート４００ａ  ハウジング４０１  プラスチック基材４０１ａ  プラスチック基材表面４０２  銀反射層４０３ａ  粘着テープ４０３ｂ  粘着テープ４０３ｃ  粘着テープ４０３ｄ  粘着テープ４０４  折り線４０５ａ  切断線４０５ｂ  切断線４０５ｃ  切断線４０５ｄ  切断線４０６  貫通孔５００  ランプ５０１  光源５０２  ランプの光出射側６００  形状可変反射シート６００ａ  ハウジング６０１  プラスチック基材６０１ａ  基材表面６０２  銀反射層６０３  切断線６０４  貫通孔６０５  テープ接着部材６０６  開口６０７  開口７００  ランプ７０１  光源
【手続補正２】
【補正対象書類名】実用新案登録請求の範囲
【補正対象項目名】全文
【補正方法】変更
【補正の内容】
【実用新案登録請求の範囲】
【請求項１】
プラスチック基材と、  前記プラスチック基材の表面に塗布された銀反射層と、を備えることを特徴とする形状可変反射シート。
【請求項２】
前記プラスチック基材は、ポリエチレンテレフタレートからなるプレートまたはシートであり、  前記銀反射層は、鏡面銀蒸着層または、オーバーコーティング層であることを特徴とする請求項１に記載の形状可変反射シート。
【請求項３】
前記銀反射層中の銀の純度は９５％以上であることを特徴とする請求項１に記載の形状可変反射シート。
【請求項４】
前記銀反射層中の銀の純度は９８％以上であることを特徴とする請求項１に記載の形状可変反射シート。
【請求項５】
前記プラスチック基材および前記銀反射層に穿設された少なくとも１つの貫通孔と、  前記プラスチック基材および前記銀反射層の一部を横断するように設けられた少なくとも１つの切断線、又はミシン目を備えることを特徴とする請求項１に記載の形状可変反射シート。
【請求項６】
光出射側を有する光源と、  前記光源に隣接した箇所で、前記光出射側と反対側に配置された形状可変反射シートと、を備え、前記形状可変反射シートは、ランプの前記光出射側と反対側に設けられたプラスチック基材と、  前記光出射側に面した前記プラスチック基材の表面に設けられた銀反射層と、を含むことを特徴とするランプ。
【請求項７】
前記プラスチック基材は、ポリエチレンテレフタレートからなるプレートであり、  前記銀反射層は、鏡面銀蒸着層または、オーバーコーティング層であることを特徴とする請求項６に記載のランプ。
【請求項８】
前記銀反射層中の銀の純度は９５％以上であることを特徴とする請求項６に記載のランプ。
【請求項９】
前記プラスチック基材および前記銀反射層に穿設され、前記光源をその中に貫設させることが可能な少なくとも１つの貫通孔と、  前記プラスチック基材および前記銀反射層の一部を横断するように設けられ、形状可変反射シートを折り曲げることが可能な少なくとも１つの切断線、又はミシン目を備えることを特徴とする請求項６に記載のランプ。
【請求項１０】
前記切断線の縁に隣接した箇所に設けられ、折り曲げられた後の前記形状可変反射シートの形状を保持してハウジングを形成させることが可能な少なくとも１つの締め付け部材または接着部材や固定部材を備えることを特徴とする請求項９に記載のランプ。